(57)【要約】【課題】多くの施錠対象を有する設備を管理するユーザの労力を軽減することのできる施錠システムを提供する。【解決手段】中継器が、携帯端末から無線による開錠要求信号を受信し、開錠要求信号に基づいて錠装置に対して電力供給を行う。また、中継器は、開錠要求信号を錠装置に対して転送する。そして錠装置は、開錠要求信号の受信に基づいて、中継器より供給された電力を用いて開錠制御を行う。【選択図】図１
2013185428.tif 000002
【特許請求の範囲】
【請求項１】
携帯端末から無線による開錠要求信号を受信する要求信号受信部と、
前記開錠要求信号に基づいて錠装置に対して電力供給を行う電力供給部と、
前記開錠要求信号を前記錠装置に対して転送する信号転送部と、
を備えた中継器と、
前記開錠要求信号の受信に基づいて、前記電力供給された電力を用いて開錠制御を行う錠制御部と、を備える錠装置と、
を備えることを特徴とする施錠システム。
【請求項２】
前記中継器の前記要求信号受信部が、前記携帯端末から無線による施錠要求信号を受信し、
前記中継器の前記電力供給部が、前記施錠要求信号に基づいて前記錠装置に対して電力供給を行い、
前記中継器の前記信号転送部が、前記施錠要求信号を前記錠装置に対して転送し、
前記錠装置の前記錠制御部が、前記施錠要求信号の受信に基づいて、前記電力供給された電力を用いて施錠制御を行う
ことを特徴とする請求項１に記載の施錠システム。
【請求項３】
前記中継器が、
前記開錠要求信号を受信に基づいてカウントした時間が所定の時間を超えた場合にアラームを発信するアラーム発信部と、
を備えることを特徴とする請求項２に記載の施錠システム。
【請求項４】
前記アラーム発信部は、前記施錠要求信号を受信した場合に前記カウントを停止する
ことを特徴とする請求項３に記載の施錠システム。
【請求項５】
前記中継器の錠制御部は、前記開錠要求信号に含まれる識別情報と、予め記憶する識別情報とが一致する場合に前記開錠制御を行う
ことを特徴とする請求項１から請求項４の何れか一項に記載の施錠システム。
【請求項６】
中継器と錠装置とを備えた施錠システムにおける施錠方法であって、
前記中継器の要求信号受信部が、携帯端末から無線による開錠要求信号を受信し、
前記中継器の電力供給部が、前記開錠要求信号に基づいて錠装置に対して電力供給を行い、
前記中継器の信号転送部が、前記開錠要求信号を前記錠装置に対して転送し、
前記錠装置の錠制御部が、前記開錠要求信号の受信に基づいて、前記電力供給された電力を用いて開錠制御を行う
ことを特徴とする施錠方法。
【請求項７】
前記中継器の前記要求信号受信部が、前記携帯端末から無線による施錠要求信号を受信し、
前記中継器の前記電力供給部が、前記施錠要求信号に基づいて前記錠装置に対して電力供給を行い、
前記中継器の前記信号転送部が、前記施錠要求信号を前記錠装置に対して転送し、
前記錠装置の前記錠制御部が、前記施錠要求信号の受信に基づいて、前記電力供給された電力を用いて施錠制御を行う
ことを特徴とする請求項６に記載の施錠方法。
【請求項８】
前記錠装置のアラーム発信部が、前記開錠要求信号を受信に基づいてカウントした時間が所定の時間を超えた場合にアラームを発信する
ことを特徴とする請求項６または請求項７に記載の施錠方法。
【請求項９】
前記錠装置の前記アラーム発信部は、前記施錠要求信号を受信した場合に前記カウントを停止する
ことを特徴とする請求項８に記載の施錠方法。
【請求項１０】
前記中継器の錠制御部は、前記開錠要求信号に含まれる識別情報と、予め記憶する識別情報とが一致する場合に前記開錠制御を行う
ことを特徴とする請求項６から請求項９の何れか一項に記載の施錠方法。
【請求項１１】
携帯端末から開錠要求信号を受信する要求信号受信部と、
前記開錠要求信号に基づいて錠装置に対して電力供給を行う電力供給部と、
前記開錠要求信号を前記錠装置に対して転送する信号転送部と、
を備えた中継器。
【請求項１２】
中継器より開錠要求信号を受信し、当該開錠要求信号に基づいて、前記中継器より電力供給された電力を用いて開錠制御を行う錠制御部を備える
ことを特徴とする錠装置。
【発明の詳細な説明】
【技術分野】
【０００１】
本発明は、門扉等の施錠を行う施錠システム及び施錠方法、中継器、錠装置に関する。
【背景技術】
【０００２】
大規模設備に数多くの施錠対象が存在する場合がある。このような多くの施錠対象を有する大規模設備を管理する場合、それぞれの施錠対象を個別の鍵を用いて施錠・開錠できるようにして管理する場合や、全ての施錠対象を１つの鍵で施錠・開錠できるようにして管理を行う場合がある。ここで、施錠対象それぞれを個別の鍵で管理する場合には、鍵の数も多くなり当該鍵の管理に手間がかかることとなる。また施錠対象を１つまたは少数の鍵で管理する場合には、当該鍵の紛失により複数の施錠対象を開錠することができてしまうため鍵の管理負担が大きくなる。そこで、特許文献１や特許文献２に開示されている技術のように、鍵の代わりに携帯端末を用いて施錠対象の鍵の施錠または開錠を行うようにすることで、管理者の負担を軽減することができる。
【先行技術文献】
【特許文献】
【０００３】
【特許文献１】特開２００８−１４４５３１号公報
【特許文献２】特開２００６−１０４６９６号公報
【発明の概要】
【発明が解決しようとする課題】
【０００４】
しかしながら、上述の特許文献に記載されている鍵装置（錠装置）は、当該鍵装置の近傍に電源を必要とするか又は内部に備える電池等の電力源が必要であり、それら電源や電池から供給される電力により鍵の開錠または施錠を制御するものである。従って、電源の確保や電池の交換などの労力が必要となる。また施錠忘れの防止に注力するユーザの労力を軽減できるようにすることが望ましい。
【０００５】
そこでこの発明は、多くの施錠対象を有する大規模設備における各施錠対象の施錠や開錠の管理の労力を軽減することのできる施錠システム及び施錠方法、中継器、錠装置を提供することを目的としている。
【課題を解決するための手段】
【０００６】
上記目的を達成するために、本発明は、携帯端末から無線による開錠要求信号を受信する要求信号受信部と、前記開錠要求信号に基づいて錠装置に対して電力供給を行う電力供給部と、前記開錠要求信号を前記錠装置に対して転送する信号転送部と、を備えた中継器と、前記開錠要求信号の受信に基づいて、前記電力供給された電力を用いて開錠制御を行う錠制御部と、を備える錠装置と、を備えることを特徴とする施錠システムである。
【０００７】
また本発明は、上述の施錠システムにおいて、前記中継器の前記要求信号受信部が、前記携帯端末から無線による施錠要求信号を受信し、前記中継器の前記電力供給部が、前記施錠要求信号に基づいて前記錠装置に対して電力供給を行い、前記中継器の前記信号転送部が、前記施錠要求信号を前記錠装置に対して転送し、前記錠装置の前記錠制御部が、前記施錠要求信号の受信に基づいて、前記電力供給された電力を用いて施錠制御を行うことを特徴とする。
【０００８】
また本発明は、上述の施錠システムにおいて、前記中継器が、前記開錠要求信号を受信に基づいてカウントした時間が所定の時間を超えた場合にアラームを発信するアラーム発信部と、を備えることを特徴とする。
【０００９】
また本発明は、上述の施錠システムにおいて、前記アラーム発信部は、前記施錠要求信号を受信した場合に前記カウントを停止することを特徴とする。
【００１０】
また本発明は、上述の施錠システムにおいて、前記中継器の錠制御部は、前記開錠要求信号に含まれる識別情報と、予め記憶する識別情報とが一致する場合に前記開錠制御を行うことを特徴とする。
【００１１】
また本発明は、中継器と錠装置とを備えた施錠システムにおける施錠方法であって、前記中継器の要求信号受信部が、携帯端末から無線による開錠要求信号を受信し、前記中継器の電力供給部が、前記開錠要求信号に基づいて錠装置に対して電力供給を行い、前記中継器の信号転送部が、前記開錠要求信号を前記錠装置に対して転送し、前記錠装置の錠制御部が、前記開錠要求信号の受信に基づいて、前記電力供給された電力を用いて開錠制御を行うことを特徴とする施錠方法である。
【００１２】
また本発明は、上述の施錠方法において、前記中継器の前記要求信号受信部が、前記携帯端末から無線による施錠要求信号を受信し、前記中継器の前記電力供給部が、前記施錠要求信号に基づいて前記錠装置に対して電力供給を行い、前記中継器の前記信号転送部が、前記施錠要求信号を前記錠装置に対して転送し、前記錠装置の前記錠制御部が、前記施錠要求信号の受信に基づいて、前記電力供給された電力を用いて施錠制御を行うことを特徴とする。
【００１３】
また本発明は、上述の施錠方法において、前記錠装置のアラーム発信部が、前記開錠要求信号を受信に基づいてカウントした時間が所定の時間を超えた場合にアラームを発信することを特徴とする。
【００１４】
また本発明は、上述の施錠方法において、前記錠装置の前記アラーム発信部は、前記施錠要求信号を受信した場合に前記カウントを停止することを特徴とする。
【００１５】
また本発明は、上述の施錠方法において、前記中継器の錠制御部は、前記開錠要求信号に含まれる識別情報と、予め記憶する識別情報とが一致する場合に前記開錠制御を行うことを特徴とする。
【００１６】
また本発明は、携帯端末から開錠要求信号を受信する要求信号受信部と、前記開錠要求信号に基づいて錠装置に対して電力供給を行う電力供給部と、前記開錠要求信号を前記錠装置に対して転送する信号転送部と、を備えた中継器である。
【００１７】
また本発明は、中継器より開錠要求信号を受信し、当該開錠要求信号に基づいて、前記中継器より電力供給された電力を用いて開錠制御を行う錠制御部を備えることを特徴とする錠装置である。
【発明の効果】
【００１８】
本発明によれば、多くの施錠対象を有する設備を管理するユーザの労力を軽減することができる。
【図面の簡単な説明】
【００１９】
【図１】施錠システムの構成を示すブロック図である。
【図２】中継器の機能ブロック図である。
【図３】錠装置の機能ブロック図である。
【図４】施錠システムの処理フローを示す図である。
【発明を実施するための形態】
【００２０】
以下、本発明の一実施形態による施錠システムを図面を参照して説明する。
図１は同実施形態による施錠システムの構成を示すブロック図である。
この図において、符号１は携帯端末、符号２は中継器、符号３は錠装置を示している。また符号４は管理サーバ、符号５は管理端末、符号６は通信網、符号７は基地局装置を示している。
【００２１】
携帯端末１は基地局装置７から得た錠装置３の識別情報を含む開錠要求信号または施錠要求信号をユーザの操作に基づいて生成して中継器２に送信するものである。
中継器２は携帯端末１からの開錠要求信号または施錠要求信号を錠装置３へ転送すると共に、錠装置３に電力を供給する装置である。
錠装置３は施錠対象を施錠する装置であり、中継器２の電力供給と、開錠要求信号または施錠要求信号に基づいて、錠機構部を動作させて開錠または施錠を行う装置である。
管理サーバ４は携帯端末１への錠装置３の識別情報の送信や、施錠システムを管理するための管理アプリケーションを携帯端末１へ送信する装置である。
管理端末５は、管理サーバ４への各種情報の登録や管理サーバ４の記憶する情報を表示する装置である。
基地局装置７は携帯端末１を通信ネットワーク６に接続するために当該携帯端末１との間で情報を無線送信する装置である。
【００２２】
図２は中継器の機能ブロック図である。
この図が示すように中継器２は、要求信号受信部２１、信号転送部２２、電力供給部２３、バッテリ２４、アラーム発信部２５を備えている。
ここで要求信号受信部２１は、携帯端末１から送信された情報を受信する処理部である。携帯端末１は中継器２に送信する情報を、例えば赤外線通信を用いて送信する。要求信号受信部２１は赤外線通信による受信機能を備えており、携帯端末１から赤外線で送信された開錠要求信号や施錠要求信号を受信する。なお中継器２は、携帯端末１へ情報を送信する送信機能を別途備えるようにしてもよい。
また信号転送部２２は、要求信号受信部２１より開錠要求信号や施錠要求信号を受信して錠装置３へ転送する処理部である。
【００２３】
また電力供給部２３は、開錠要求信号または施錠要求信号の受信に基づいてバッテリ２４に蓄積されている電力を錠装置３へ供給する処理部である。なお、中継器２と錠装置３は、例えば開錠要求信号や施錠要求信号を伝送する信号線と、電力を供給するための電力線とが束ねられた有線ケーブルにより接続される。当該有線ケーブルは中継器２に予め備えられており、当該有線ケーブルの先端のコネクタを錠装置３に接続することにより、中継器２と錠装置３は着脱可能となっている。
【００２４】
またバッテリ２４は電力を蓄積する電力源であり、例えば専用の充電器に中継器２を接続してバッテリ２４に電力を充電することができる。
またアラーム発信部２５は、開錠要求信号の受信に基づいてカウントした時間が所定の時間を超えた場合にアラームを発信する処理部である。またアラーム発信部２５は、アラームの発信前に施錠要求信号を受信した場合にカウントを停止し、またはアラームの発信後に施錠要求信号を受信した場合にはアラームを停止する処理を行う。
【００２５】
図３は錠装置の機能ブロック図である。
図３に示すように錠装置３は錠制御部３１と錠機構部３２とを備えている。
錠制御部３１は、開錠要求信号の受信に基づいて、中継器２から供給された電力を用いて開錠制御を行う処理部である。
錠機構部３２は、電磁石（ソレノイド）等の磁力を用いて鉄片を動かすなどして開錠や施錠を行う機構である。
【００２６】
そして、このような施錠システムの各装置の機能により、多くの施錠対象を有する設備を管理するユーザの労力を軽減する。
【００２７】
図４は施錠システムの処理フローを示す図である。
以下、施錠システムの処理フローについて順を追って説明する。
まず施錠対象の管理者は、事前に携帯端末１に施錠システム専用のアプリケーションプログラムをダウロードしておく。そして携帯端末１にこのアプリケーションプログラムを実行させることにより携帯端末１に施錠システムのための機能が備わる。そして管理者は、携帯端末１のアプリケーションプログラムを実行すると共に、当該アプリケーションプログラムによって提供される機能を用いて管理サーバ４にアクセスし、所望の施錠対象を指定する。これにより管理サーバ４は指定された施錠対象のＩＤ（識別情報）を含むＩＤ通知信号を携帯端末１へ送信する。
【００２８】
管理サーバ４から送信されたＩＤ通知信号を、基地局装置７を介して携帯端末１が受信する（ステップＳ１０１）。管理者は、施錠対象が基地局装置７から電波の届く位置に存在する場合には施錠対象の近傍でＩＤ通知信号を受信しても良いが、施錠対象が基地局装置７から電波の届く位置に存在しない場合には、基地局装置７と通信できる位置において、携帯端末１を用いてＩＤ通知信号を予め受信しておく。また管理者は携帯端末１と中継器２とを持参して施錠対象に赴き、中継器２に備えられている有線ケーブルのコネクタを錠装置３に接続する。なお、中継器２のバッテリ２４には、予め十分な電力が充電されているものとする。
【００２９】
そして管理者は、施錠対象に施錠されている錠装置３を開錠する場合、携帯端末１を操作して開錠要求指示を行う。すると携帯端末１は開錠要求指示を検知する（ステップＳ１０２）。そして携帯端末１は、施錠対象のＩＤを含む開錠要求信号を無線により中継器２へ送信する（ステップＳ１０３）。
【００３０】
すると中継器２の要求信号受信部２１が開錠要求信号を受信する。そして要求信号受信部２１は信号転送部２２へ開錠要求信号を出力する。信号転送部２２は開錠要求信号を錠装置３へ送信する（ステップＳ１０４）と共に、開錠要求信号を受信したことを示す信号を電力供給部２３とアラーム発信部２５へ通知する。これにより電力供給部２３はスイッチ等を制御してバッテリ２４に蓄積されている電力を錠装置３に供給する（ステップＳ１０５）。またアラーム発信部２５は時刻のカウントを開始する（ステップＳ１０６）。
【００３１】
次に開錠要求信号を受信した錠装置３の錠制御部３１は、開錠要求信号に含まれるＩＤを読み取る。そして錠制御部３１はメモリ等に記憶しているＩＤと、開錠要求信号に含まれるＩＤが一致するかを判定する（ステップＳ１０７）。そしてメモリ等に記憶しているＩＤと、開錠要求信号に含まれるＩＤが一致する場合、スイッチ等を制御して錠機構部３２に電力を供給する。そして当該電力により錠機構部３２が開錠の動作を行う（ステップＳ１０８）。
【００３２】
これにより施錠対象の開錠が行われ、管理者は施錠対象に関する作業を行う。この時、中継器２アラーム発信部２５は時刻のカウントを継続している。そして、施錠要求信号を受信する前にカウントした時間が所定の閾値を超えたかを判定し（ステップＳ１０９）、カウントした時間が所定の閾値を超えた場合には、アラームを鳴動する（ステップＳ１１０）。
【００３３】
このように、開錠の状態が所定の時間を越えると中継器２はそれを検出してアラームを鳴動する。これにより、例えば施錠対象が門扉であり、門扉の中で作業を行う場合には、一旦開錠した施錠対象の門扉を直ちに施錠しなければならない等の規則がある場合、施錠忘れを管理者に通知することが可能となる。これにより、施錠忘れの防止に注力する管理者の労力を軽減することができる。
【００３４】
なお上述のステップＳ１０６においてメモリ等に記憶しているＩＤと、開錠要求信号に含まれるＩＤが一致しないと判定した場合、錠制御部３１は中継器へＩＤ不一致を通知し、また中継器２がＩＤ不一致を携帯端末１へ送信してもよい。これにより管理者はＩＤ通知信号の受信の操作を再度行う。
【００３５】
そして、管理者は施錠対象を開錠した場合、その後、携帯端末１を操作して施錠要求指示を携帯端末１に入力する。すると携帯端末１は施錠要求指示を検知する（ステップＳ１１１）。そして携帯端末１は、施錠対象のＩＤを含む施錠要求信号を無線により中継器２へ送信する（ステップＳ１１２）。
【００３６】
すると中継器２の要求信号受信部２１が施錠要求信号を受信する。そして要求信号受信部２１は信号転送部２２へ施錠要求信号を出力する。信号転送部２２は施錠要求信号を錠装置３へ出力し（ステップＳ１１３）、また施錠要求信号を受信したことを示す信号をアラーム発信部２５へ通知する。これによりアラーム発信部２５は時刻のカウントを停止する。またはアラームが鳴動している場合にはそのアラームの鳴動を停止する（ステップＳ１１４）。
【００３７】
また施錠要求信号を受信した錠装置３の錠制御部３１は錠機構部３２の施錠制御を行う。例えば、錠機構部３２は、供給されている電力によって電磁石やモータ等を駆動して施錠動作を行う（ステップＳ１１５）。これにより、施錠対象が施錠される。
【００３８】
なお、錠装置３は、施錠動作の際、例えば中継器２と錠装置３とを接続するコネクタが自動的に外れるような機構を有していてよい。これにより中継器２を錠装置３へ接続したまま施錠対象の近傍を離れてしまい中継器２を作業場所に置き残してしまうことを軽減することができる。
また中継器２が開錠完了や施錠完了を検出し、その情報を携帯端末１へ通知して携帯端末１から管理サーバ４へ施錠対象のＩＤとともに、開錠完了や施錠完了の情報が通知されてもよい。これにより管理サーバ４において、どの施錠対象が開錠中か、施錠完了したかを管理することが可能となる。
【００３９】
以上、本発明の実施形態について説明したが、上述の施錠システムによれば、施錠対象を施錠する錠装置の近傍に電力源を必要とせず、また錠装置に電池を備える必要がない。これにより、数多くの施錠対象がある場合にそれぞれの施錠対象の近傍に電力源を設置する労力を軽減でき、また錠装置の電池交換の労力を軽減することができる。また、施錠を忘れた場合には所定の時間を経過した場合に中継器２がアラームを鳴動するため、施錠忘れの防止に注力するユーザの労力を軽減することができる。
【００４０】
なお、上述の携帯端末１、中継器２、錠装置３や、管理端末５、管理サーバ４、基地局装置７には、コンピュータを有している。そして、上述した各処理部における処理の過程は、プログラムの形式でコンピュータ読み取り可能な記録媒体に記憶されており、このプログラムをコンピュータが読み出して実行することによって、上記処理が行われる。
【００４１】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００４２】
１・・・携帯端末
２・・・中継器
３・・・錠装置
４・・・管理サーバ
５・・・管理端末
６・・・通信ネットワーク
７・・・基地局装置
２１・・・要求信号受信部
２２・・・信号転送部
２３・・・電力供給部２３
２４・・・バッテリ
２５・・・アラーム発信部
３１・・・錠制御部
３２・・・錠機構部
【図１】
2013185428.tif 000003
【図２】
2013185428.tif 000004
【図３】
2013185428.tif 000005
【図４】
2013185428.tif 000006